(57)【特許請求の範囲】
【請求項１】
交換レンズが着脱可能なレンズマウントと、前記交換レンズにより結像された像を撮像して撮像信号を出力する撮像素子とを備えた交換レンズ式デジタルカメラにおいて、
前記レンズマウントに装着されていない非装着交換レンズのレンズ仕様を記憶する記憶部と、
前記撮像信号に基づく撮像画像、前記レンズマウントに装着された交換レンズから取得されるレンズ情報および前記記憶部に記憶されたレンズ仕様に基づいて、前記非装着交換レンズを前記レンズマウントに装着した場合に想定される仮想撮影画像に関するデータを生成する生成部と、
前記生成部で生成されたデータに基づいて前記仮想撮影画像を表示する表示部とを備えたことを特徴とする交換レンズ式デジタルカメラ。
【請求項２】
請求項１に記載の交換レンズ式デジタルカメラにおいて、
前記撮像画像のデータとともに前記生成部で生成されたデータを記録媒体に記録する記録装置を備えたことを特徴とする交換レンズ式デジタルカメラ。
【請求項３】
請求項１または２に記載の交換レンズ式デジタルカメラにおいて、
前記生成部は、前記レンズマウントに装着された交換レンズの焦点距離と前記非装着交換レンズの焦点距離との差分に基づいて、前記撮像画像をデジタル処理によりズームアップまたはズームダウンすることにより、前記仮想撮影画像に関するデータを生成することを特徴とする交換レンズ式デジタルカメラ。
【請求項４】
請求項１〜３のいずれか一項に記載の交換レンズ式デジタルカメラにおいて、
前記レンズマウントに装着された交換レンズから取得されるレンズ情報と前記非装着交換レンズのレンズ仕様とに基づいて、前記レンズマウントに装着された交換レンズのレンズ状態と前記撮像素子の撮像条件とを補正制御する制御部を備えたことを特徴とする交換レンズ式デジタルカメラ。
【請求項５】
請求項４に記載の交換レンズ式デジタルカメラにおいて、
前記記憶部には、複数の非装着交換レンズに関するレンズ仕様がそれぞれ記憶され、
前記複数のレンズ仕様のいずれかを選択する選択操作部をさらに備えたことを特徴とする交換レンズ式デジタルカメラ。
【請求項６】
少なくとも互いに異なる光学特性を有する第１および第２の交換レンズを選択して撮影することが可能な交換レンズ式デジタルカメラの仮想撮影画像表示方法において、
前記第１の交換レンズにより撮像した被写体像の第１の画像データを生成し、
前記第１の交換レンズおよび前記第２の交換レンズの各レンズ情報に基づいて、前記第１の画像データに対して画像処理を施して、前記第２の交換レンズで撮影した場合の第２の画像データを生成する仮想撮影画像生成方法。
【請求項７】
請求項６に記載の仮想撮影画像生成方法で生成した前記第２の画像データに基づいて表示用画像データを生成してモニタに表示する仮想撮影画像表示方法。
【発明の詳細な説明】
【技術分野】
【０００１】
本発明は、交換レンズ式デジタルカメラ、仮想撮影画像生成方法および仮想撮影画像表示方法に関する。
【背景技術】
【０００２】
特許文献１に記載のような交換レンズ式の一眼レフデジタルカメラは、撮影シーンに応じて種々の交換レンズを装着することができる。
【０００３】
【特許文献１】特開２００７−１５８８７８号公報
【発明の開示】
【発明が解決しようとする課題】
【０００４】
しかしながら、一眼レフデジタルカメラを使い慣れないユーザにとって、交換レンズのカタログを見ただけではどのような画像が撮影できるのか見当がつかないのが一般的である。そのため、交換レンズの必要性を認識できなかったり、所望の交換レンズはどれか分からなかったりして、一眼レフデジタルカメラの能力を十分に活用できない場合が多かった。
【課題を解決するための手段】
【０００５】
請求項１の発明は、交換レンズが着脱可能なレンズマウントと、交換レンズにより結像された像を撮像して撮像信号を出力する撮像素子とを備えた交換レンズ式デジタルカメラに適用され、レンズマウントに装着されていない非装着交換レンズのレンズ仕様を記憶する記憶部と、撮像信号に基づく撮像画像、レンズマウントに装着された交換レンズから取得されるレンズ情報および記憶部に記憶されたレンズ仕様に基づいて、非装着交換レンズをレンズマウントに装着した場合に想定される仮想撮影画像に関するデータを生成する生成部と、生成部で生成されたデータに基づいて仮想撮影画像を表示する表示部とを備えたことを特徴とする。
請求項２の発明は、請求項１に記載の交換レンズ式デジタルカメラにおいて、仮想撮影画像のデータとともに前記生成部で生成されたデータを記録媒体に記録する記録装置を備えたものである。
請求項３の発明は、請求項１または２に記載の交換レンズ式デジタルカメラにおいて、レンズマウントに装着された交換レンズの焦点距離と非装着交換レンズの焦点距離との差分に基づいて、撮像素子の撮像画像をデジタル処理によりズームアップまたはズームダウンすることにより、仮想撮影画像に関するデータを生成するようにしたものである。
請求項４の発明は、請求項１〜３のいずれか一項に記載の交換レンズ式デジタルカメラにおいて、レンズマウントに装着された交換レンズから取得されるレンズ情報と非装着交換レンズのレンズ仕様とに基づいて、レンズマウントに装着された交換レンズのレンズ状態と撮像素子の撮像条件とを補正制御する制御部を備えたものである。
請求項５の発明は、請求項４に記載の交換レンズ式デジタルカメラにおいて、記憶部には、複数の非装着交換レンズに関するレンズ仕様がそれぞれ記憶され、複数のレンズ仕様のいずれかを選択する選択操作部をさらに備えたものである。
請求項６の発明は、少なくとも互いに異なる光学特性を有する第１および第２の交換レンズを選択して撮影することが可能な交換レンズ式デジタルカメラの仮想撮影画像表示方法に適用され、第１の交換レンズにより撮像した被写体像の第１の画像データを生成し、第１の交換レンズおよび第２の交換レンズの各レンズ情報に基づいて、第１の画像データに対して画像処理を施して、第２の交換レンズで撮影した場合の第２の画像データを生成することを特徴とする。
請求項７の発明による仮想撮影画像表示方法は、請求項６に記載の仮想撮影画像生成方法で生成した第２の画像データに基づいて表示用画像データを生成してモニタに表示することを特徴とする。
【発明の効果】
【０００６】
本発明によれば、仮想撮影画像に関するデータに基づく画像を表示することにより、装着されていない交換レンズを用いた場合の撮影画像を仮想的に体験することができる。
【発明を実施するための最良の形態】
【０００７】
以下、図を参照して本発明を実施するための最良の形態について説明する。図１は本発明によるカメラの一実施の形態を示す図であり、交換レンズ式デジタルカメラの要部構成を示すブロック図である。カメラボディ１のレンズマウント１３７には交換レンズ２が装着されている。
【０００８】
（交換レンズ２）
本実施の形態では、交換レンズ２に設けられた撮影光学系２１０はズーム光学系を構成している。交換レンズ２のレンズ鏡筒に設けられたズームリング（不図示）を回転操作して、撮影光学系２１０に設けられた焦点距離調節レンズを光軸方向に移動させることにより、撮影光学系２１０の焦点距離を変えることができる。焦点距離調節レンズの光軸方向位置は、ズームエンコーダ２２０によりモニタされる。ＡＦ駆動部２３０にはＡＦモータおよびその駆動回路が設けられており、撮影光学系２１０のフォーカスレンズをＡＦモータにより光軸方向に移動することで、撮影光学系２１０のピント調整が行われる。フォーカスレンズの位置は、ＡＦ駆動部２３０に設けられたＡＦレンズ位置エンコーダによってモニタされる。
【０００９】
絞り２４０は、カメラボディ１に設けられた撮像素子１１０に届く光の量を調節する開口絞りである。絞り２４０の開閉は、絞り駆動部２５０により行われる。絞り２４０の設定はカメラが自動的に行う場合と、撮影者が行う場合とがあり、設定された値に応じて不図示の絞り制御モータ等により制御される。例えば、プログラムモードやシャッタスピード優先モードの場合には、測光センサ１２２の出力に基づいて絞り値を決定する。絞り優先モードやマニュアルモードの場合には、撮影者が絞り値を設定する。
【００１０】
ズームエンコーダ２２０およびレンズ位置エンコーダでモニタされた位置情報は、レンズ鏡筒２内に設けられたレンズマイコン２６０に送られる。レンズマイコン２６０は、ＡＦ駆動部２３０および絞り駆動部２５０を制御する。レンズマイコン２６０に設けられたＲＯＭには、交換レンズ２に関するレンズ情報、例えば、焦点距離、開放Ｆ値、絞り値、像ズレ量／デフォーカス量の変換係数などが格納されている。交換レンズ２をカメラボディ１のレンズマウント１３７に装着すると、レンズマウント１３７に設けられたレンズ接点１３６を介してレンズマイコン２６０とカメラボディ１側のマイコン１２０とが接続される。例えば、レンズマイコン２６０はズームエンコーダ２２０の出力コードを読み込んで、設定された焦点距離に応じた情報をカメラボディ１のマイコン１２０に伝える。
【００１１】
（カメラボディ）
一方、カメラボディ１には、撮像素子１１０、シャッタ１１２、シャッタ１１２を開閉駆動するシャッタ駆動回路１１４、ＡＦＥ（Analog  Front  End）１１６、画像処理回路１１８、マイコン１２０、測光センサ１２２、内蔵メモリ１２４、モニタ１２６、表示駆動回路１２８、メモリカードインターフェイス１３０、操作部１３２、外部インターフェイス１３４、レンズ接点１３６が設けられている。カメラボディ１には不揮発性記憶媒体であるメモリカード１３８が着脱可能に装着され、メモリカードインターフェイス１３０を介してデータの記録および読み出しを行うことができる。
【００１２】
マイコン１２０はＣＰＵやＲＡＭ，ＲＯＭ等を備え、カメラ全体の制御を行う。測光センサ１２２は接眼光学系の光軸近傍に配置されており、測光センサ１２２により被写体像の明るさが検出される。その検出結果はマイコン１２０に送られ、シャッタスピードや絞り値の決定に用いられる。操作部１３２には、図示していないが電源ボタンやレリーズボタンなどの操作部材が設けられている。マイコン１２０は、操作部１３２からの操作信号に基づいて各種制御を行う。
【００１３】
撮影光学系２１０は、撮像素子１１０の撮像面に被写体像を結像させる。撮像素子１１０は、画素に対応する複数の光電変換素子を備えたＣＣＤイメージセンサなどで構成される。撮像素子１１０は、撮像面上に結像されている被写体像を撮像し、被写体像の明るさに応じた光電変換信号を出力する。撮像素子１１０はＲ（赤）、Ｇ（緑）およびＢ（青）のカラーフィルタが設けられたカラーのエリアセンサであり、撮像素子１１０から出力される光電変換信号はＲＧＢ表色系の色情報を有する。
【００１４】
ＡＦＥ（Analog Front End）回路１１６は、ＣＤＳ（相関二重サンプリング）回路、ＡＧＣ（オートゲインコントロール）回路およびＡＤＣ（アナログ・デジタル変換回路）、タイミングジェネレータを含む。各回路には、タイミングジェネレータからのタイミング信号がそれぞれ供給される。ＣＤＳ回路は画像信号の低周波ノイズ低減処理を行う。ＡＧＣ回路はゲインを調整することにより撮像信号のレベル調整を行う。アナログ処理された画像信号はＡＤＣによりデジタル信号に変換され、画像処理回路１１８に入力される。
【００１５】
画像処理回路１１８は、デジタル信号を処理する回路であって例えばＡＳＩＣとして構成される。画像処理回路１１８は、入力された画像信号に対してγ 補正やホワイトバランス補正， コントラスト補正等の画像処理を行うとともに、Ｒ，Ｇ，Ｂの画像データを輝度信号と色差信号とに対応するＹ，Ｃｂ，Ｃｒの画像データに変換するＹＣ変換処理を行う。さらに、画像処理回路１１８は、ＹＣ変換処理された画像データを所定の圧縮形式、例えばＪＰＥＧ形式に圧縮する圧縮処理を行うとともに、撮影情報をタグとして画像データに付加する。撮影情報が付加された画像データは、装着されたメモリカード１３８に記録される。
【００１６】
モニタ１２６には液晶表示パネルなどが用いられ、カメラボディ１の背面側に設けられている。モニタ１２６は表示駆動回路１２８によって駆動制御され、様々な情報（メッセージやメニュー、マークなど）の表示を行ったり再生画像を表示したりすることができる。外部インターフェイス１３０は、マイコン１２０からの指示により外部機器（パーソナルコンピュータ等）との間で不図示のケーブルを介してデータを送受信する。例えば、後述する仮想交換レンズとしての交換レンズカタログ情報も、この外部インターフェイス１３０を介して取得され、内蔵メモリ１２４に記録される。なお、交換レンズカタログ情報が記録された外部メモリを装着するような構成としても良い。内蔵メモリ１２４には、フラッシュメモリ等の不揮発性メモリが用いられる。レンズ接点１３６を介してレンズマイコン２６０から読み込まれたレンズ情報も、この内蔵メモリ１２４に記録される。
【００１７】
［仮想交換レンズモードの説明］
本実施の形態のデジタルカメラにおいては、以下に述べるような仮想交換レンズモードを備えている。仮想交換レンズモードとは、実際に装着されている交換レンズ２と異なる交換レンズを装着した場合に得られる撮影画像を、擬似的に作成するモードである。ユーザは、操作部１３２を操作してモニタ１２６に仮想交換レンズを設定するためのメニュー画面を表示させる。仮想交換レンズの設定画面には、選択可能な仮想レンズの種類が複数表示される。ユーザは、その設定画面に表示された複数の仮想交換レンズから所望のものを選択することにより、仮想交換レンズモードに入る。この仮想交換レンズモードは、仮想交換レンズ設定画面において設定を解除するまで継続される。
【００１８】
例えば、装着されている交換レンズ２が焦点距離１８−５５ｍｍのときに、焦点距離１８−２００ｍｍの交換レンズを疑似体験したい場合には、交換レンズが表示されている画面において、焦点距離１８−２００ｍｍの交換レンズを選択すれば良い。仮想交換レンズとして設定することができる複数種類のレンズ情報（レンズ仕様）は、上述したように内蔵メモリ１２４に予め記録されている。なお、外部インターフェイス１３０を介して仮想交換レンズ用のレンズ情報を取得し、内蔵メモリ１２４に追記するようにしても良い。
【００１９】
マイコン１２０は、設定された交換レンズのレンズ情報を内蔵メモリ１２４から読み込み、装着されている交換レンズ２のレンズ情報と読み込んだレンズ情報とに基づいて、撮影条件の変更および撮影された画像の補正を行う。撮影条件の変更および撮影された画像の補正の詳細は後述する。
【００２０】
図２は、画角を補正する場合の補正方法の一例を説明する図である。図２の横軸は、ワイド端からテレ端までズーム操作量（ズームリングの回転操作量）を基準とする操作量の割合（０〜１）を示している。縦軸は焦点距離である。図２において、Ｌ１〜Ｌ３は操作量と焦点距離との関係を示したものであり、Ｌ１は焦点距離１８−５５ｍｍのズームレンズ、Ｌ２は焦点距離１８−２００ｍｍのズームレンズ、Ｌ３は焦点距離２４−８５ｍｍのズームレンズを示している。ここでは、ズームレンズＬ１が交換レンズとして装着されているものとして説明する。
【００２１】
ズームリングの操作量を割合で０．２７、０．４６、０．７３と順に変化させると、ズームレンズＬ１の場合には焦点距離が２８ｍｍ、３５ｍｍ、４５ｍｍと変化する。一方、ズームレンズＬ２の場合には焦点距離は４０ｍｍ、５２ｍｍ、６９ｍｍと変化し、ズームレンズＬ３の場合には５０ｍｍ、８４ｍｍ、１３３ｍｍのように変化する。
【００２２】
例えば、仮想交換レンズとしてズームレンズＬ２を設定した場合を考える。ワイド端では、交換レンズ２の焦点距離も仮想レンズの焦点距離も１８ｍｍなので、画角も等しい。すなわち、撮像された画像を、そのまま仮想レンズで撮影した場合の画像として採用すれば良い。一方、テレ端においては、焦点距離５５ｍｍに対応する画角の画像３００（図３（ａ）参照）が撮像素子１１０によって撮像されることになる。しかし、仮想交換レンズＬ２のテレ端における焦点距離は２００ｍｍなので、焦点距離２００ｍｍに対応する画角の画像は、図３（ａ）の破線で示す範囲３０２の画像となる。すなわち、図３（ａ）の範囲３０２の画像データに基づくデジタルズーム処理によって、図３（ｂ）に示すような仮想交換レンズＬ２のテレ端における画像３０２が得られる。
【００２３】
レリーズボタンを全押しして撮影を行うと、Exifファイルには、図３（ｂ）に示す画像３０２が仮想撮影画像として記録されるとともに、図３（ａ）に示す画像３００が参考画像として記録される。また、装着されている交換レンズ２のレンズ情報と、仮想交換レンズに関するレンズ情報（例えば、レンズの種類、焦点距離２００ｍｍなど）とが、タグ情報として記録される。例えば、装着されている交換レンズの情報および撮影条件は従来と同様にExifタグに記録され、仮想交換レンズに関する情報をメーカーノートに記憶する。なお、仮想交換レンズに関する画像３０２を記録する代わりに、画像３００と、画像３００における画像３０２の範囲を指定する情報をタグ情報として記録するようにしても良い。いずれにしても、ユーザは、メモリカードに記録されている画像３０２やタグ情報に基づいて、焦点距離２００ｍｍで撮影した画像をモニタに表示したり、プリントアウトしたりすることができる。
【００２４】
また、ファインダから観察される画像は図３（ａ）に示す画像であるので、図３（ｃ）のハッチングで示すように範囲３０２を囲む周囲領域にマスクをかけて、仮想交換レンズの場合の撮影範囲を示すようにする。これにより、撮影される被写体領域を容易に認識することができる。
【００２５】
なお、電子ビューファインダを備えているカメラの場合、図３（ａ）の範囲３０２で示す部分の画像を、図３（ｂ）のようにファインダ全体に表示することが可能である。その結果、実際に装着されているのは焦点距離１８−５５ｍｍの交換レンズ２であるにも関わらず、撮影者は焦点距離２００ｍｍの場合の画像をリアルタイムに実感することができる。
【００２６】
また、図２の操作量＝０．２７の位置までズームリングを操作すると、交換レンズ２の焦点距離は２８ｍｍとなる。このとき、撮像素子１１０により撮像される画像は、図４（ａ）に示す焦点距離２８ｍｍにおける画像３１０である。しかし、焦点距離１８−２００ｍｍのズームレンズＬ２を仮想交換レンズに設定した場合の仮想撮影画像は、図４（ａ）の範囲３１２の部分を切り出した、図４（ｂ）のような画像３１２となる。ファインダには、図４（ｃ）に示すようなマスクが施される。
【００２７】
ところで、図１の交換レンズ２として、図２に示すズームレンズＬ３（焦点距離２４−８５ｍｍ）が装着されている場合、ズーム操作量がＡから１（テレ端）の間においては、上述した処理と同様の処理を行うことにより、仮想撮影画像を形成することができる。しかし、ズーム操作量がＡからゼロ（ワイド端）の間においては、仮想交換レンズの方が画角が大きくなる。例えば、テレ端においては装着されている交換レンズ２の焦点距離は２４ｍｍであるが、仮想交換レンズの焦点距離は１８ｍｍとなり、図５に示すように、仮想撮影画像３２２の方が実際に撮像されている画像３２０よりも範囲が大きくなってしまう。そのため、ハッチングを施した領域Ｂの画像は生成されず、また、光学ファインダからは画像３２０が観察されることになる。
【００２８】
このような場合の対処方法の一つとしては、仮想交換レンズを選択するメニュー画面上において、そのような仮想交換レンズを選択できないようにすることで不都合をさけることができる。例えば、図２にズームレンズＬ３が交換レンズ２として装着されている場合には、ズームレンズＬ１の仮想交換レンズは選択できない。もちろん、ズームレンズＬ３であれば、ズームレンズＬ１の焦点距離１８〜２４ｍｍの範囲は撮影できないが、焦点距離２４〜５５ｍｍは実際に撮影することができる。
【００２９】
また、他の方法としては、図２に示すＡの位置よりもテレ側で仮想交換レンズ機能が有効であるとし、Ａ位置よりもワイド側に操作したときに仮想交換レンズ機能が無効であることを、ファインダ内またはモニタ１２６に表示する。
【００３０】
さらに、他の方法としては、図５に示すような画像、すなわち、画像３２０に仮想撮影画像３２２の範囲を示す矩形枠を加えた画像を生成し、その画像データをメモリカード１３８に記録する。この場合、ファインダ内に仮想交換レンズの焦点距離を表示することにより、撮影される画像の焦点距離条件をユーザに知らせるようにする。画像を再生表示すると、図５のように矩形枠の中に画像３２０が小さく表示されるので、焦点距離１８ｍｍで撮影した場合の画像の状況を実際に確認することができる。その結果、焦点距離１８−２００ｍｍのズームレンズの性能の概略を実感することができ、交換レンズ購入の際の参考となる。
【００３１】
また、短焦点レンズが交換レンズ２として装着されている場合に、仮想交換レンズにズームレンズが設定された場合には、操作部１３２に設けられている２つの操作ボタンに対してズームアップ操作機能、ズームダウン操作機能をそれぞれ割り当てる。ユーザは、それらの操作ボタンを操作してズームアップおよびズームダウンを仮想的に行わせる。仮想交換レンズの焦点距離が装着されている交換レンズ２よりも大きいズーム領域では、撮像画像の一部を切り出して擬似撮影画像を生成する。一方、仮想交換レンズの焦点距離が交換レンズ２よりも小さい場合には、図５に示すような矩形枠が形成された画像を、仮想交換レンズによる擬似撮影画像として生成する。
【００３２】
上述した説明では、仮想交換レンズに設定した場合の画角の処理に関して説明したが、画角以外にも以下のような処理を施して仮想交換レンズを再現する。例えば、レンズによる撮影条件の違いを仮想交換レンズにおいて実現する。設定されている仮想交換レンズの明るさ（絞り開放時のＦ値）が装着されている交換レンズ２よりも明るい場合、撮像素子１１０のゲインをアップして明るいレンズを再現する。それにより、シャッタスピードが速くなるのが実感でき、手ぶれによる被写体のブレも低減されることも認識できる。逆に、装着されている交換レンズ２よりも仮想交換レンズの方がＦ値が大きい場合には、絞り２４０を絞って被写体光量を小さくすることで、仮想交換レンズの暗さを再現する。
【００３３】
また、仮想交換レンズの種類に応じて、被写界深度の調整処理を施す必要がある。被写界深度を浅くする場合には、ＡＦエリア以外の領域、またはＡＦエリアを中心とする所定領域よりも外側の領域を、ぼけ領域としてローパスフィルタ処理をデジタル的に施す。逆に、被写界深度を深くする場合には、上記領域に対して公知のエッジ強調処理を施す。
【００３４】
ブレ補正光学系を備えた交換レンズが仮想交換レンズとして設定された場合には、公知の電子的な手ブレ補正処理を施す。例えば、３×３＝９画素を一つの画素とみなし、９画素の値の平均値をその画素の信号とする９画素単位の処理を施す。また、コントラストを調整する場合には、γ変更を行う。例えば、コントラストを緩やかにする場合には、より緩いγカーブを用いる。その他、歪や色収差に関しても画像処理を施すことにより、仮想交換レンズに関するそれらの性質を擬似的に再現することができる。
【００３５】
図６は、仮想交換レンズモードにおけるカメラの動作を説明するフローチャートである。図６のフローチャートで示すプログラムは、ボディ側のマイコン１２０によって処理され、カメラの電源がオンされるとスタートする。ステップＳ１では、操作部１３２の操作により仮想交換レンズ設定画面の表示が指示されたか否かを判定し、指示された場合にはステップＳ２へ進み、指示されていない場合にはステップＳ２０へ進む。ステップＳ２０へ進んだ場合には、仮想交換レンズモードではない通常の撮影処理が実行される。
【００３６】
ステップＳ２では、カメラボディ１に装着されている交換レンズ２の種類に基づいて、仮想交換レンズに設定可能な交換レンズ種別を内臓メモリ１２４に格納されている交換レンズカタログ（レンズ仕様）から読み出し、交換レンズの名称や型式をカメラボディ１の背面側に設けられたモニタ１２６に表示する。ステップＳ３では、仮想交換レンズの選択が行われたか、それとも、選択を行わずに設定画面を終了したかを判定する。ステップＳ３で、選択を行わずに設定画面を終了したと判定されると、ステップＳ２０へ進み通常の撮影処理を実行する。一方、ステップＳ３で、仮想交換レンズの選択が行われたと判定されると、ステップＳ４に進んで選択された仮想交換レンズのレンズ情報（レンズ仕様）を読み込む。
【００３７】
ステップＳ５では、装着されている交換レンズ２のズーム位置情報をレンズマイコン２６０から読み込み、そのズーム位置に対応した仮想交換レンズのズーム位置を算出する。そして、ファインダに仮想交換レンズの焦点距離を表示するとともに、図３（ｃ）に示すようなマスク処理を施す。ステップＳ６では、レリーズボタンの半押し操作が行われたか否かを判定する。ステップＳ６で半押しと判定されるとステップＳ７に進み、交換レンズ２のレンズ状態と交換レンズ２および仮想交換レンズのレンズ情報とに基づいて、仮想交換レンズを用いて擬似撮影画像を撮影する場合の上述した画角や撮影条件を算出するとともに、ＡＦ処理およびＡＥ処理を行う。
【００３８】
ステップＳ８では、レリーズボタンが全押しされたか否かを判定する。ステップＳ８で全押しされたと判定するとステップＳ９へ進み撮影処理を行い、全押しと判定されなかった場合にはステップＳ１１へ進む。ステップＳ１０では、撮影により取得された画像データを記録媒体であるメモリカード１３８に記録するとともに、仮想撮影画像をモニタ１２６に所定時間表示する。ステップＳ１１では、電源がオフされたか否かを判定し、オフされていないと判定するとステップＳ５へ戻る。一方、ステップＳ１１で電源がオフされた判定すると、一連の処理を終了する。
【００３９】
上述したように、本実施の形態における仮想レンズモードでは、装着されている交換レンズと異なる交換レンズを装着した場合の仮想撮影画像を生成し、その仮想撮影画像をカメラのモニタ１２６に表示したり、メモリカード１３８に記録したりするようにした。そのため、実際に交換レンズを装着しなくても、その交換レンズを使用した場合の状況を体験することができる。
【００４０】
なお、上述した実施の形態では、仮想撮影画像に関するデータをメモリカードに記録したが、メモリカードへの記録は行わずに、モニタ上に表示するだけの構成でも構わない。例えば、一眼レフデジタルカメラを購入する際に、仮想撮影画像をモニタに表示することで、標準レンズだけでなく種々の交換レンズに装着したときの画像を実感することができる。
【００４１】
また、上述した実施の形態では、仮想交換レンズを用いた場合の仮想撮影画像をデジタルカメラ内で生成してモニタ１２６に表示するようにしたが、以下のようにして仮想撮影画像を生成するようにしても良い。すなわち、交換レンズ２を装着したデジタルカメラの撮影画像データと仮想交換レンズのレンズ情報とを外部の機器（例えば、パーソナルコンピュータ）に取り込み、その外部機器において仮想撮影画像を生成する。なお、外部機器には、予め仮想撮影画像生成用のソフトウェアがインストールされているものとする。
【００４２】
撮影画像データのファイル（Exifファイル）には画像データとともに撮影条件（撮影日時やレンズ情報）がタグ情報として付加されているので、付加されているレンズ情報（装着されている交換レンズのレンズ情報）と仮想交換レンズのレンズ情報とから仮想撮影画像を生成することができる。そして、外部機器に設けられたモニタに生成された仮想撮影画像を表示することで、仮想交換レンズを用いた場合の撮影画像を体感することができる。  
【００４３】
なお、図３（ｂ）に示すような画像を表示する際、図３（ａ）の撮像画像３００から領域３０２の画像をトリミングにより実際に切り出して仮想撮影画像３０２を生成する方式では、仮想撮影画像３０２のデータをＰＣに読み込んでモニタの表示する場合、仮想撮影画像３０２をそのまま表示すれば良い。一方、仮想撮影画像３０２を生成しないで切り出し領域３０２等の仮想撮影画像３０２に関するデータのみを生成する方式の場合には、ＰＣ側の画像表示ソフトウェアは、撮像画像３００のデータと仮想撮影画像３０２に関するデータとに基づいて仮想撮影画像を生成してモニタに表示する。
【００４４】
なお、以上の説明はあくまでも一例であり、本発明の特徴を損なわない限り、本発明は上記実施の形態に何ら限定されるものではない。
【図面の簡単な説明】
【００４５】
【図１】本発明によるカメラの一実施の形態を示す図であり、交換レンズ式デジタルカメラの要部構成を示すブロック図である。
【図２】画角を補正する場合の補正方法の一例を説明する図である。
【図３】テレ端における撮像画像と仮想撮影画像とを説明する図であり、（ａ）は撮像画像を示し、（ｂ）は仮想撮影画像を示し、（ｃ）ファインダより観察される被写体を示す。
【図４】ワイド側における撮像画像と仮想撮影画像とを説明する図であり、（ａ）は撮像画像を示し、（ｂ）は仮想撮影画像を示し、（ｃ）ファインダより観察される被写体を示す。
【図５】仮想交換レンズの方が実際に装着されている交換レンズよりも焦点距離が小さい（画角が大きい）場合を説明する図である。
【図６】仮想交換レンズモードの動作を説明するフローチャートである。
【符号の説明】
【００４６】
１：カメラボディ、２：交換レンズ、１１０：撮像素子、１１２：シャッタ、１１８：画像処理回路、１２０：マイコン、１２４：内蔵メモリ、１２６：モニタ、１３０：メモリカードインターフェイス、１３２：操作部、１３４：外部インターフェイス、１３７：レンズマウント、１３８：メモリカード、２１０：撮影光学系、２４０：絞り、２６０：レンズマイコン、
【図１】
0005157597.tif 000002
【図２】
0005157597.tif 000003
【図３】
0005157597.tif 000004
【図４】
0005157597.tif 000005
【図５】
0005157597.tif 000006
【図６】
0005157597.tif 000007